【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
コンピュータに、
第１のファイルの格納場所を示すアドレス情報と、当該アドレス情報が示す格納場所に格納されている前記第１のファイルを出力するときに設定される出力設定を示す情報とを含む、第２のファイルを取得する第１の取得ステップと、
前記第１のファイルを出力させるための命令を受けた場合に、前記第１の取得ステップにおいて取得された前記第２のファイルに含まれている前記アドレス情報に従って、前記アドレス情報が示す格納場所に格納されている前記第１のファイルを取得する第２の取得ステップと、
前記第１の取得ステップにおいて取得された前記第２のファイルに含まれている情報が示す出力設定に従って、前記第２の取得ステップにおいて取得された前記第１のファイルを出力する出力ステップと、
を実行させることを特徴とするプログラム。
【請求項２】
前記第１のファイルと前記第２のファイルは画像データを含み、当該第２のファイルに含まれる画像データは、当該第１のファイルに含まれる画像データに対応する画像の内容を示すことを特徴とする請求項１に記載のプログラム。
【請求項３】
前記第２のファイルは、前記第１のファイルに含まれる画像データよりも画素数の少ない画像データを含むことを特徴とする請求項２に記載のプログラム。
【請求項４】
前記第２のファイルが含む画像データは、前記第１のファイルに含まれる画像データが示す画像に、当該第２のファイルに含まれる情報が示す出力設定が反映されている画像を示すことを特徴とする請求項２又は３に記載のプログラム。
【請求項５】
前記第２のファイルに含まれる情報が示す出力設定は、前記第１のファイルに基づいて印刷装置に画像を印刷させるときの印刷設定であることを特徴とする請求項１乃至４のいずれか１項に記載のプログラム。
【請求項６】
コンピュータに、
第１のファイルの格納場所を示すアドレス情報を取得する取得ステップと、
前記取得ステップにおいて取得された前記アドレス情報と、当該アドレス情報が示す格納場所に格納されている前記第１のファイルを出力するときに設定される出力設定を示す情報とを含む第２のファイルを作成する作成ステップと、
を実行させることを特徴とするプログラム。
【請求項７】
前記第１のファイルを出力する出力ステップを有し、
前記作成ステップでは、前記出力ステップにおける出力において設定されていた出力設定を示す情報を含む第２のファイルを作成することを特徴とする請求項６に記載のプログラム。
【請求項８】
第１のファイルの格納場所を示すアドレス情報と、当該アドレス情報が示す格納場所に格納されている前記第１のファイルを出力するときに設定される出力設定を示す情報とを含む、第２のファイルを取得する第１の取得手段と、
前記第１のファイルを出力させるための命令を受けた場合に、前記第１の取得手段において取得された前記第２のファイルに含まれている前記アドレス情報に従って、前記アドレス情報が示す格納場所に格納されている前記第１のファイルを取得する第２の取得手段と、
前記第１の取得手段において取得された前記第２のファイルに含まれている情報が示す出力設定に従って、前記第２の取得手段において取得された前記第１のファイルを出力する出力手段と、
を有することを特徴とするファイル管理装置。
【請求項９】
第１のファイルの格納場所を示すアドレス情報を取得する取得手段と、
前記取得手段において取得された前記アドレス情報と、当該アドレス情報が示す格納場所に格納されている前記第１のファイルを出力するときに設定される出力設定を示す情報とを含む第２のファイルを作成する作成手段と、
を有することを特徴とするファイル管理装置。
【請求項１０】
第１のファイルの格納場所を示すアドレス情報と、当該アドレス情報が示す格納場所に格納されている前記第１のファイルを出力するときに設定される出力設定を示す情報とを含む、第２のファイルを取得する第１の取得ステップと、
前記第１のファイルを出力させるための命令を受けた場合に、前記第１の取得ステップにおいて取得された前記第２のファイルに含まれている前記アドレス情報に従って、前記アドレス情報が示す格納場所に格納されている前記第１のファイルを取得する第２の取得ステップと、
前記第１の取得ステップにおいて取得された前記第２のファイルに含まれている情報が示す出力設定に従って、前記第２の取得ステップにおいて取得された前記第１のファイルを出力する出力ステップと、
を有することを特徴とするファイル管理方法。
【請求項１１】
第１のファイルの格納場所を示すアドレス情報を取得する取得ステップと、
前記取得ステップにおいて取得された前記アドレス情報と、当該アドレス情報が示す格納場所に格納されている前記第１のファイルを出力するときに設定される出力設定を示す情報とを含む第２のファイルを作成する作成ステップと、
を有することを特徴とするファイル管理方法。
【手続補正２】
【補正対象書類名】明細書
【補正対象項目名】発明の名称
【補正方法】変更
【補正の内容】
【発明の名称】プログラム、ファイル管理装置及びファイル管理方法
【手続補正３】
【補正対象書類名】明細書
【補正対象項目名】０００１
【補正方法】変更
【補正の内容】
【０００１】
本発明は、互いに関連する複数のファイル間での処理の管理を行うに好適なプログラム、ファイル管理装置及びファイル管理方法に関する。
【手続補正４】
【補正対象書類名】明細書
【補正対象項目名】００１５
【補正方法】変更
【補正の内容】
【００１５】
本発明は、互いに関連する複数のファイル間での画像処理等の管理を円滑に行うことができるプログラム、ファイル管理装置及びファイル管理方法を提供することを目的とする。
【手続補正５】
【補正対象書類名】明細書
【補正対象項目名】００１７
【補正方法】変更
【補正の内容】
【００１７】
本発明に係る第１のプログラムは、コンピュータに、第１のファイルの格納場所を示すアドレス情報と、当該アドレス情報が示す格納場所に格納されている前記第１のファイルを出力するときに設定される出力設定を示す情報とを含む、第２のファイルを取得する第１の取得ステップと、前記第１のファイルを出力させるための命令を受けた場合に、前記第１の取得ステップにおいて取得された前記第２のファイルに含まれている前記アドレス情報に従って、前記アドレス情報が示す格納場所に格納されている前記第１のファイルを取得する第２の取得ステップと、前記第１の取得ステップにおいて取得された前記第２のファイルに含まれている情報が示す出力設定に従って、前記第２の取得ステップにおいて取得された前記第１のファイルを出力する出力ステップと、を実行させることを特徴とする。
【手続補正６】
【補正対象書類名】明細書
【補正対象項目名】００１８
【補正方法】変更
【補正の内容】
【００１８】
本発明に係る第２のプログラムは、コンピュータに、第１のファイルの格納場所を示すアドレス情報を取得する取得ステップと、前記取得ステップにおいて取得された前記アドレス情報と、当該アドレス情報が示す格納場所に格納されている前記第１のファイルを出力するときに設定される出力設定を示す情報とを含む第２のファイルを作成する作成ステップと、を実行させることを特徴とする。
【手続補正７】
【補正対象書類名】明細書
【補正対象項目名】００１９
【補正方法】変更
【補正の内容】
【００１９】
本発明によれば、ファイルに、その派生元ファイルの出力形式の変更に関する情報を示す付帯情報タグが付されるので、ファイルの付帯情報タグのみで派生元ファイルにおける出力形式を変更させることができる。このため、これらの間の画像処理等の管理を円滑に行うことができる。